(57)【特許請求の範囲】
【請求項１】
利用者が速度の変化する踏面により搬送される可変速式動く歩道であって、該踏面の両側に立設されて、該踏面の速度に近い速度で動く独立した複数の移動手摺を備えたものにおいて、
該移動手摺乗継部に、その回転軸方向が移動手摺運転方向と直角をなす回転体を移動手摺運転方向に複数配置するとともに、これらの回転体の下方に複数の支持ローラを設け、前記回転体と支持ローラとの間にはベルトを配置し、このベルトを駆動することによって、前記回転体を回転させる構成であることを特徴とする可変速式動く歩道の手摺装置。
【請求項２】
前記移動手摺の運転方向にはプレートが配置され、このプレートによって、前記回転体の回転軸方向の動きが規制される構成であることを特徴とする請求項１に記載の可変速式動く歩道の手摺装置。
【請求項３】
前記回転体の両側に、前記回転体の上面高さより少なくともその上面が低い固定の案内体を設けたことを特徴とする請求項１又は２に記載の可変速式動く歩道の手摺装置。
【請求項４】
前記案内体は、前記移動手摺の運転方向と直角方向の幅が乗継部前後の移動手摺に近くなるほど狭くなっていることを特徴とする請求項３に記載の可変速式動く歩道の手摺装置。
【請求項５】
前記回転体の上面の高さが、乗継部前後の移動手摺の高さと同じか又はより低く、且つ、乗継部前後の移動手摺に近いものほど低くなっていることを特徴とする請求項１乃至４の何れかに記載の可変速式動く歩道の手摺装置。
【請求項６】
前記回転体は、乗継部前後の移動手摺に対向する回転体の直径が一番小さいことを特徴とする請求項１乃至５の何れかに記載の可変速式動く歩道の手摺装置。
【請求項７】
前記回転体は、前記移動手摺に対向する第一の回転体と中間部に位置する第二の回転体とが異なる駆動機構により駆動されることを特徴とする請求項１乃至６の何れかに記載の可変速式動く歩道の手摺装置。
【請求項８】
前記回転体は、乗継部前後の移動手摺に対向する回転体の回転円周速度が、それら以外の回転体の回転円周速度と異なることを特徴とする請求項１乃至７の何れかに記載の可変速式動く歩道の手摺装置。
【請求項９】
前記回転体の円周上にクリートと溝が設けられ、隣接する回転体のクリートと溝が相互に噛み合うことを特徴とする請求項１乃至８の何れかに記載の可変速式動く歩道の手摺装置。
【発明の詳細な説明】
【０００１】
【発明の属する技術分野】
本発明は、踏面が乗込み部では低速で動き、その後徐々に高速になり、中間部では最高速で動き、降り口に近づくにつれ徐々に低速になり、降り部では乗込み部と同様低速で動く、可変速式動く歩道の左右両側に設ける手摺装置に関するものである。
【０００２】
【従来の技術】
可変速式動く歩道において、変化する踏面の速度に同期させて移動手摺の速度を変化させることは、その機構が複雑となるため実用的でない。従って、一般的には、移動手摺を複数本に分割しそれらを直列に配置して、それぞれの近傍における踏面の速度に近い速度で運転している。
【０００３】
このような可変速式動く歩道の手摺装置にあっては、利用者が隣接する移動手摺の間で手を円滑に載せ替えることが安全上、極めて重要であり、例えば特開平７−１０１６６２号のような図２に示す装置が提案されている。
【０００４】
即ち、移動手摺１，２にはクリート１ａ，２ａを有する通常とは異なる特殊な形状の部材を使用し、この乗継部３には案内板４を配置し、この案内板４にはボール５を回動自在に点在させて設け、乗客の手を誘導するようにするものである。
【０００５】
【発明が解決しようとする課題】
しかし、このような手摺装置では、移動手摺１，２自体が特殊な形状をしているため、コストが極めて高くなるだけでなく、案内板４が移動手摺１，２の上面高さよりかなり低い位置に設けられているため、利用者の手が移動手摺１，２の高さから案内板４の高さまで一気に下がり、移動手摺乗継部３に注意していない利用者は驚き、また体勢を崩す虞があった。そして、案内板４から先方の移動手摺１或いは２に手を載せ替える所で、移動手摺２或いは１に衝突する虞もあった。
【０００６】
また、案内板４の上面には自由に回転するボール５を並べているが、このような自由回転のボール５に手を載せた際に、手が体の移動方向とは異なる方向に滑って体勢が安定しないという不具合もあった。
【０００７】
本発明は、上記の不具合点に鑑みてなされたもので、より安全な可変速式動く歩道の手摺装置を提供することを目的とするものである。
【０００８】
【課題を解決するための手段】
本発明は、利用者が速度の変化する踏面により搬送される可変速式動く歩道であって、踏面の両側に立設されて、踏面の速度に近い速度で動く独立した複数の移動手摺を備えたものにおいて、移動手摺乗継部に、その回転軸方向が移動手摺運転方向と直角をなす複数の回転体を備えるものである。
【０００９】
【発明の実施の形態】
本発明は、可変速式動く歩道の手摺装置において、複数の移動手摺の間に、利用者の手の円滑な載せ替えを助ける働きを有するローラを回動自在に備えるものである。
【００１０】
【実施例】
以下、本発明の一実施例について、図面を用いて説明する。図１は本発明の一実施例を示す手摺装置の全体図、図３は図１の平面図、図４は図１のＡ−Ａ線矢視図である。
【００１１】
図中、８，９は通常の移動手摺、１１，１２は本発明に係る案内ローラで、略均一の径のものが複数個、進行方向に配列されており、後述する独立した別の機構により回動自在に設けられている。この案内ローラ１１，１２には切り込み溝１１ａ，１２ａが設けられ、左右方向にいたずらに移動しないようにプレート１３で支持案内されている。
【００１２】
１４は案内ローラ１１の下方に配置された複数の支持ローラで、プレート１３の間に挿入されている。１５は案内ローラ１１と支持ローラ１４との間を通過する循環ベルトで、支持ローラ１４により循環ベルト１５が案内ローラ１１の下部に押付けられて循環ベルト１５の駆動力が案内ローラ１１に伝達されるように構成されている。１６は循環ベルト１５を駆動するローラで、テンションローラ１７により循環ベルト１５に適度の張力が加えられるようになっている。尚、ローラ１６の駆動源は移動手摺あるいは別途設けられたモータ１８等である。
【００１３】
２０は移動手摺８，９に常時接触して従動する従動ローラで、支持ローラ１４の前後に配置されている。そして、移動手摺８，９と対向する案内ローラ１２はこの従動ローラ２０と接しており、この従動ローラ２０から駆動力を得る構造になっている。
【００１４】
ここで、案内ローラ１１の周速度は循環ベルト１５の移動速度を決めることにより、任意に選ぶことができ、全ての案内ローラ１１の周速度が機構上均一になるが、各案内ローラ１１の回転数に変化を付けられる機構の駆動方法とすれば、各案内ローラ１１の回転数と直径により、周速度に変化を付けることもできる。尚、案内ローラ１１の周速度は、乗継部前後の移動手摺の遅い方の速度と同じか又はより速く、あるいは乗継部前後の移動手摺の速い方の速度と同じか又はより遅くなるように設定される。
【００１５】
また、案内ローラ１２については、図１のような駆動機構では、従動ローラ２０が接する移動手摺８，９の移動速度と同一の速度となるが、移動手摺８，９の移動速度に依存しない独立した駆動機構とすることにより、移動手摺８，９に対応させた最適な速度に設定することも可能である。尚、案内ローラ１２の周速度は、案内ローラ１１と同様に、乗継部前後の移動手摺の遅い方の速度と同じか又はより速く、あるいは乗継部前後の移動手摺の速い方の速度と同じか又はより遅くなるように設定される。
【００１６】
これらの案内ローラ１１と１２の駆動源が異なるため、案内ローラ１１と１２とで円周速度を異ならせる等、より細やかな速度設定ができ、移動手摺８，９の速度に対応させた最適な速度に設定することが可能である。
【００１７】
これらの案内ローラ１１，１２のレイアウトについては、例えば図５に示すように、徐々に高さを変化させたり、径を変化させたり、又駆動機構により周速度をいろいろと変化させたりすることができる。
【００１８】
次に、図６は第二の実施例を示し、図中図１乃至図５と同一のものは同一のものを示すが、３１，３２は移動手摺８，９よりも幅の狭い案内ローラで、前述と同様、プレート１３により幅方向の動きを規制されている。そして、この案内ローラ３１，３２の両側にはガイド３３が設けられている。このガイド３３の形状や配置レイアウトについては、図７に示す種々のタイプが考えられる。
【００１９】
次に、図８はその他の実施例を示す図であり、案内ローラ４１，４２はクリート・溝付きのローラで、隣接する案内ローラ４１，４２同士はクリートと溝とが係合するようになっているものである。
【００２０】
このような構成であれば、移動手摺８，９と対向する案内ローラ１２と中央寄りの案内ローラ１１とを別々の速度に設定したり、ガイド部分の形状や材質を適宜変更したりできるので、設計上の選択幅を広く取ることができるメリットがある。
【００２１】
以上の説明では、案内ローラの駆動をベルト機構で行っているが、別の駆動機構であってももちろんかまわない。尚、この可変速式動く歩道については、踏面の速度が可変速に徐々に変化する場合だけでなく、速度の異なるベルトを直列に配列して、段階的に速度を変えてゆくタイプの可変速式動く歩道であってもよいのは言うまでもない。
【００２２】
【発明の効果】
以上説明したように、本発明によれば、回動自在のローラが利用者の手の円滑な載せ替えを助けるように働くため、利用者は安全に動く歩道を使用することができる。
【図面の簡単な説明】
【図１】本発明の一実施例を示す手摺装置の全体図である。
【図２】従来の手摺装置を示す図である。
【図３】図１の平面図である。
【図４】図１のＡ−Ａ線矢視図である。
【図５】本発明に係る案内ローラのレイアウトを示す図である。
【図６】本発明の第二の実施例を示す図である。
【図７】図６のガイド３３の形状や配置レイアウトを示す図である。
【図８】本発明のその他の実施例を示す図である。
【符号の説明】
３  手摺乗継部
８，９  移動手摺
１１，１２，３１，３２，４１，４２  案内ローラ
１４  支持ローラ
１５  循環ベルト
２０  従動ローラ
３３  ガイド
【図１】
0003994751.tif 000002
【図２】
0003994751.tif 000003
【図３】
0003994751.tif 000004
【図４】
0003994751.tif 000005
【図５】
0003994751.tif 000006
【図６】
0003994751.tif 000007
【図７】
0003994751.tif 000008
【図８】
0003994751.tif 000009